(57)【要約】【課題】日常生活に於いて、身体に障害を持たれている方やお年寄りは、床面に落とした物、特に切符、入場券、紙幣、プラスチィックカード、コイン等を拾い上げる動作、行為は大変困難である。また健常者のための壁面に備えた電灯のスイッチやエレベーターのスイッチは、一般に高い位置にあるため、車椅子の者や腕を上げるのが困難な障害者にとっては、操作することが困難であるという問題があった。【解決手段】床面に落とした物を拾い上げる方法として、粘着性のあるGELを採用することで、従来のリーチャーでは拾い上げることが困難だった物に対しても容易に拾い上げることができる様にし、GELの形状を半球状にする事で、一層の効果が期待される。電灯やエレベーターのスイッチ操作に於いては、伸縮機能を持った中軸９と蓋５に備わった摩擦係数の大きい材質の突起部６で構成されているため滑りにくく、困難であったスイッチ操作を助けるものである。【選択図】  図５
2006167337.tif 000002
【特許請求の範囲】
【請求項１】
折り畳み洋傘の柄の端部、または折り畳み式リーチャーの柄の端部に粘着GELを半球状または円弧状に形成し、床面に落下した紙幣、キャッシュカード、メンバーカード等のプラスチィックカード類、あるいは鉄道切符、バスの切符、入場券等の小型紙片を拾い上げるために粘着性GELを押し付けたとき、密着部が拡大する方向に弾性変形できるような構造としたもので、GEL材の材厚を十分厚くするか、フィルム状のGEL材の心材として十分な厚みの弾性体と一体的に組み合わせた構造。
【請求項２】
粘着GEL部は、拾い上げる用途として使用しないときは、人の躰や外気に触れないよう蓋で覆われる構造とし、蓋全体がやや硬度の高いSBR（合成ゴム）等の摩擦係数の大きな素材で形成されるか、剛性の高い素材で形成された蓋の中央部に摩擦係数の大きな素材の突起部を蓋体と一体的に成型した構造。
【請求項３】
柄に取り付けられたストラップが、蓋体に設けられたフランジ部を貫通してリング状となり、開放した蓋体が、ストラップによって柄と連結されているので蓋体を紛失する心配から開放され、リング状のストラップはフランジ部によって、常にリングが密着するのを防げ、手指の運動機能に障害のある者でも容易にストラップを掴むことができる。
【発明の詳細な説明】
【技術分野】
【０００１】
本発明は、床面に落とした物を拾い上げるリーチャーに於いて、先端の爪の間隔を縮めて拾い上げるには、困難な紙幣やプラスチィックカードや切符や入場券などの小さな紙片やコインのような小さくて摘みにくいものを粘着GELで接着して拾い上げようとするものである。
【背景技術】
【０００２】
現在のところ、リーチャーの拾い上げる機構として採用された粘着GELは、いずれもシート状のものであり、拾い上げようとする物に対して垂直に力を加えないと、密着性が悪くなるので、リーチャーの軸に対して、GELの面が垂直からある範囲内で自由に首を振る構造としなければならない。
【発明の開示】
【発明が解決しようとする課題】
【０００３】
従来のリーチャーの先端に備えたシート状GEL部の場合、GEL面の角度を、拾い上げる対象の物に合わせるのが、やや困難である（図１参照）。
【０００４】
粘着GEL部の粘着性を長く維持するためには、使用しない状態のとき、粘着GEL表面に人の躰や外気が直接触れないように、蓋で覆う構造とする必要があるが、その場合この蓋部にリーチャーのもう一つの重要な機能を持たせたい。即ち、身体障害者にとって、手が届きにくいエレベーターの釦や、部屋の電灯の壁面スイッチの押し操作である。しかし、手元と操作部とが離れているため、滑って操作しにくいという問題があった。
【０００５】
手指の運動機能に障害を有する者にとって、直ぐにストラップの輪が閉じてしまい、ストラップの輪の中に指を通すのが、しばしば困難となっている。
【課題を解決するための手段】
【０００６】
上記課題を解決するために、第１の手段として粘着GELの形状を平面的シート状から半球状に変更する（図２参照）。こうすれば、どの角度から狙っても、拾おうとしている物の上で押し付けると、GELは密着面積を拡げる方向に変形し、容易に対象物を拾い上げる。粘着GELシート状の場合は、円弧状の弾性基材の上にこの粘着GELシートを張り合わせる構造とすれば（図３、図４参照）、どの角度から狙っても、拾おうとする物の上で押し付けると、密着面積を拡げる方向に弾性基材と粘着GELシートは変形し、容易に対象物を拾い上げることができる。
【０００７】
第２手段として、粘着性GEL部を覆う剛性のあるカバー（＝蓋）を設けて、使用しない場合に、粘着GELが人の躰や外気に直接触れない構造とするが、蓋の素材として摩擦係数の大きい、例えばSBR（合成ゴム）等を採用し、略中央部に一体的に突起を設けるか（図５参照）、または剛性のある蓋の略中央部に、摩擦係数の大きい、例えばSBR製の突起物を一体的ないしは組立式で構成すれば（図６参照）、このリーチャーの反対側を持って、押し釦を押したとき、滑らずに確実に操作できる。
【０００８】
第３手段として、蓋のフランジ部の孔にストラップを貫通させることによって、蓋開放時には、柄に固定したストラップに蓋が連結されて、蓋の散逸を防止すると同時に、ストラップの輪を少なくとも蓋のフランジの高さだけは常に拡げるので、手指の運動機能に障害があっても容易に指をストラップに通すことができる（図５参照）。
【発明の効果】
【０００９】
本発明によって、身体に障害を持たれた方々にとって従来大変困難であった、落下した切符、入場券、紙幣やプラスティックカードあるいは小さなコインなども容易に拾い上げることが可能になった。また本発明を応用したリーチャーでは、手元から離れたエレベーターの釦や壁面の電灯スイッチを確実に操作できる。更にストラップの取り付け方に工夫を加え手指の運動機能に障害がある方でも、容易にストラップの輪の中に指を通すことができるようになった。
【発明を実施するための最良の形態】
【００１０】
以下、本発明を折り畳み洋傘の柄に応用した形態について説明する。
折り畳み洋傘に元々取り付けている柄取付ボルト１に合致する雌ネジ部２を持ったリーチャーアタッチメント３は、その天部に半球状の粘着GEL部４を有し、その外周部ピッタリかん合する蓋５があり、蓋の材質は摩擦係数の大きいSBR等で作られており、大略中央部には釦等を押しやすい突起部６が形成されている。柄に取り付けられたストラップ７は、蓋５のフランジ部８を貫通して取り付けられているので、いつでもストラップの輪が閉じることはなく、常に指が入る空間を形成しているので、手指の運動機能に障害がある人でも容易に指を通すことができる。傘を開かずに中軸９のみを伸ばせば、折りたたんだ傘の部分を持つとリーチャーに変身する。
【図面の簡単な説明】
【００１１】
【図１】従来のリーチャーに備えたシート状GELの形態を示す概略断面図
【図２】本発明の粘着GELにおける形態を示す概略断面図
【図３】図１のシート状GELの改良形態を示す概略斜視図
【図４】図３の概略断面図
【図５】本発明の好ましい実施形態による蓋部を説明する概略断面図
【図６】図５のさらに別の実施形態による蓋部の概略断面図
【符号の説明】
【００１２】
１  柄取付ボルト
２  雌ねじ部
３  リーチャーアタッチメント
４  GEL部
4a  シート状GEL
５  蓋
６  突起部
７  ストラップ部
８  フランジ部
９  中軸  
【図１】
2006167337.tif 000003
【図２】
2006167337.tif 000004
【図３】
2006167337.tif 000005
【図４】
2006167337.tif 000006
【図５】
2006167337.tif 000007
【図６】
2006167337.tif 000008